(57)【要約】      （修正有）【課題】デジタル中継局からの放送波の受信可能範囲を精度良く求める方法を提供する。【解決手段】周波数リスト取得部２５１が、デジタル放送波に含まれる周波数リスト・変更情報から最新周波数リスト情報を取得する。引き続き、周波数リスト変更抽出部２５２が、最新周波数リスト情報と、登録周波数リスト情報２４１とに基づいて、最新周波数リスト情報にのみ含まれる新規デジタル中継局を抽出し、登録周波数リスト情報２４１を更新する。次に、デジタル中継局情報更新部２５３が、新規デジタル中継局の郵便番号、アナログ中継局情報２４２及び郵便番号領域情報２４３を考慮して、新規デジタル中継局の位置を推定した後、推定位置を含む新たな個別デジタル中継局情報を、デジタル中継局情報２４４に追加する。そして、デジタル中継局情報２４４に基づいて、動作制御部２５４が、デジタル中継局からの放送波の受信可能範囲を特定する。【選択図】図５
2011004242.tif 000002
【特許請求の範囲】
【請求項１】
移動体に搭載され、デジタル放送波を受信する放送受信装置であって、
デジタル中継局識別情報、放送ネットワーク識別情報及び放送周波数情報が関連付けられた登録周波数リスト情報、デジタル中継局のそれぞれの位置情報及び送信パワー情報を含むデジタル中継局情報、並びにアナログ中継局のそれぞれの位置情報を含むアナログ中継局情報を記憶する記憶手段と；
前記デジタル放送波に含まれる周波数リスト関連情報に基づいて、都道府県単位より狭い領域単位ごとに定められたデジタル中継局の所在領域情報及び送信パワー情報を含む最新周波数リスト情報を取得する取得手段と；
前記最新周波数リスト情報と、前記登録周波数リスト情報とに基づいて、前記最新周波数リスト情報には含まれるが、前記登録周波数リスト情報には含まれない新規デジタル中継局を抽出する抽出手段と；
前記新規デジタル中継局の所在領域情報及び前記アナログ中継局情報を考慮して、前記新規デジタル中継局の位置を推定した後、前記推定された位置及び前記新規デジタル中継局の送信パワーを前記デジタル中継局情報に追加する推定手段と；
前記最新周波数リスト情報に基づいて、前記登録周波数リスト情報を更新する更新手段と；
前記デジタル中継局情報における前記デジタル中継局のそれぞれの位置情報及び送信パワー情報に基づいて、前記デジタル中継局のそれぞれから送信されるデジタル放送波の受信可能範囲を特定する特定手段と；
を備えることを特徴とする放送受信装置。
【請求項２】
前記アナログ中継局及び前記デジタル中継局の位置情報は、２次元位置情報又は３次元位置情報である、ことを特徴とする請求項１に記載の放送受信装置。
【請求項３】
前記所在領域情報は郵便番号である、ことを特徴とする請求項１又は２に記載の放送受信装置。
【請求項４】
前記推定手段は、前記アナログ中継局のいずれもが前記新規デジタル中継局の所在領域情報から特定される領域内にない場合には、前記新規デジタル中継局の所在領域内の所定位置が、前記新規デジタル中継局の位置であると推定する、ことを特徴とする請求項１〜３のいずれか一項に記載の放送受信装置。
【請求項５】
前記アナログ中継局情報には、アナログ中継局のそれぞれに関するアナログ放送波の放送ネットワーク識別情報及び送信パワー情報が更に含まれ、
前記推定手段は、前記新規デジタル中継局の放送ネットワーク識別情報及び送信パワー情報を更に考慮して、前記新規デジタル中継局の位置を推定する、
ことを特徴とする請求項１〜４のいずれか一項に記載の放送受信装置。
【請求項６】
前記推定手段は、前記新規デジタル中継局の所在領域情報から特定される領域内にあるアナログ中継局のうち、前記放送ネットワーク識別情報が前記新規デジタル中継局の放送ネットワーク識別情報と一致し、かつ、送信パワー情報が前記新規デジタル中継局の送信パワー情報と所定の関係にある前記アナログ中継局の位置を、前記新規デジタル中継局の位置であると推定する、ことを特徴とする請求項５に記載の放送受信装置。
【請求項７】
前記推定手段は、前記新規デジタル中継局の位置であると推定されるアナログ中継局の位置を見い出せなかった場合には、前記新規デジタル中継局の所在領域情報から特定される領域内の所定位置が、前記新規デジタル中継局の位置であると推定する、ことを特徴とする請求項６に記載の放送受信装置。
【請求項８】
前記移動体の現在位置を検出する検出手段と；
前記検出手段による検出結果と、前記特定手段による特定結果とに基づいて、前記移動体の現在位置において有効な受信が可能な放送チャンネルを導出する導出手段と；
を更に備えることを特徴とする請求項１〜７のいずれか一項に記載の放送受信装置。
【請求項９】
前記導出手段による導出結果を利用して、再生処理対象の放送チャンネルとして最適な放送チャンネルをサーチするサーチ手段を更に備える、ことを特徴とする請求項８に記載の放送受信装置。
【請求項１０】
画面表示を行う表示手段と；
前記導出手段により導出結果された前記移動体の現在位置において有効な受信が可能な放送チャンネルの情報を前記表示手段に表示させる表示制御手段と；
を更に備えることを特徴とする請求項８又は９に記載の放送受信装置。
【請求項１１】
移動体に搭載され、デジタル中継局識別情報、放送ネットワーク識別情報及び放送周波数情報が関連付けられた登録周波数リスト情報、デジタル中継局のそれぞれの位置情報及び送信パワー情報を含むデジタル中継局情報、並びにアナログ中継局のそれぞれの位置情報を含むアナログ中継局情報を記憶する記憶手段を備えるとともに、デジタル放送波を受信する放送受信装置において使用される中継局情報処理方法であって、
前記デジタル放送波に含まれる周波数リスト関連情報に基づいて、都道府県単位より狭い領域単位ごとに定められたデジタル中継局の所在領域情報及び送信パワー情報を含む最新周波数リスト情報を取得する取得工程と；
前記最新周波数リスト情報と、前記登録周波数リスト情報とに基づいて、前記最新周波数リスト情報には含まれるが、前記登録周波数リスト情報には含まれない新規デジタル中継局を抽出する抽出工程と；
前記新規デジタル中継局の所在領域情報及び前記アナログ中継局情報を考慮して、前記新規デジタル中継局の位置を推定した後、前記推定された位置及び前記新規デジタル中継局の送信パワーを前記デジタル中継局情報に追加する推定工程と；
前記最新周波数リスト情報に基づいて、前記登録周波数リスト情報を更新する更新工程と；
前記デジタル中継局情報における前記デジタル中継局のそれぞれの位置情報及び送信パワー情報に基づいて、前記デジタル中継局のそれぞれから送信されるデジタル放送波の受信可能範囲を特定する特定工程と；
を備えることを特徴とする中継局情報処理方法。
【請求項１２】
請求項１１に記載の中継局情報処理方法を演算手段に実行させる、ことを特徴とする中継局情報処理プログラム。
【請求項１３】
請求項１２に記載の中継局情報処理プログラムが、演算手段により読み取り可能に記録されている、ことを特徴とする記録媒体。
【発明の詳細な説明】
【技術分野】
【０００１】
本発明は、放送受信装置、中継局情報処理方法、中継局情報処理プログラム、及び、当該中継局情報処理プログラムが記録された記録媒体に関する。
【背景技術】
【０００２】
従来から、車両等の移動体の多くに地上デジタル放送を受信して再生する放送受信装置が搭載されている。こうした放送受信装置による放送受信の環境は、移動体の移動に伴って変化する。これは、地上デジタル放送では、地域ごとに配置される中継局としてＭＦＮ（Multi Frequency Network）方式が採用されており、物理チャンネル（以下、単に「チャンネル」とも呼ぶ）の配置が地域ごとに異なっているためである。このため、移動体の移動に伴って、再生のために有効な受信が可能なチャンネル（以下、「受信可能チャンネル」と呼ぶ）が変化することになる。
【０００３】
かかる受信可能チャンネルの特定は、地上デジタル放送が行われている可能性がある周波数帯域をスキャンすることによって行うことができるが、長時間を要することになる。このため、受信可能チャンネルの特定に要する時間を短縮するための技術が提案されている（特許文献１参照：以下、「従来例」と呼ぶ）。
【０００４】
この従来例の技術では、地上デジタル放送に含まれる周波数リスト・変更情報における県域単位でのサービスエリア情報、及び、移動体の現在位置の検出結果に基づいて、受信可能チャンネルを特定するためのスキャン範囲を絞り込むようになっている。そして、県域内をサービスエリアとするチャンネルについてスキャンを行うようになっている。
【先行技術文献】
【特許文献】
【０００５】
【特許文献１】特開２００８−３０６３８６号公報
【発明の概要】
【発明が解決しようとする課題】
【０００６】
上述した従来例の技術では、受信可能チャンネルを特定するためのスキャン範囲を県域単位で絞り込んでいる。しかしながら、同一の県域内における同一放送ネットワークに属する中継局は、一般に多数存在している。このため、従来例の技術では、全チャンネルをスキャンする場合ほどではないが、受信可能チャンネルを迅速に特定できるとはいえなかった。
【０００７】
このため、移動体が移動中の各位置において、当該移動体に搭載された放送受信装置にとっての受信可能チャンネル（すなわち、デジタル中継局）を特定するためのスキャン範囲の絞り込みを、県域よりも狭い領域内まで行うことができる技術が待望されている。かかる要請に応えることが、本発明が解決すべき課題の一つとして挙げられる。
【０００８】
本発明は、上記の事情を鑑みてなされたものであり、各デジタル中継局から送信される放送波を、再生のために有効な受信が可能な領域範囲を精度良く求めることができる放送受信装置及び中継局情報処理方法を提供することを目的とする。
【課題を解決するための手段】
【０００９】
請求項１に記載の発明は、移動体に搭載され、デジタル放送波を受信する放送受信装置であって、デジタル中継局識別情報、放送ネットワーク識別情報及び放送周波数情報が関連付けられた登録周波数リスト情報、デジタル中継局のそれぞれの位置情報及び送信パワー情報を含むデジタル中継局情報、並びにアナログ中継局のそれぞれの位置情報を含むアナログ中継局情報を記憶する記憶手段と；前記デジタル放送波に含まれる周波数リスト関連情報に基づいて、都道府県単位より狭い領域単位ごとに定められたデジタル中継局の所在領域情報及び送信パワー情報を含む最新周波数リスト情報を取得する取得手段と；前記最新周波数リスト情報と、前記登録周波数リスト情報とに基づいて、前記最新周波数リスト情報には含まれるが、前記登録周波数リスト情報には含まれない新規デジタル中継局を抽出する抽出手段と；前記新規デジタル中継局の所在領域情報及び前記アナログ中継局情報を考慮して、前記新規デジタル中継局の位置を推定した後、前記推定された位置及び前記新規デジタル中継局の送信パワーを前記デジタル中継局情報に追加する推定手段と；前記最新周波数リスト情報に基づいて、前記登録周波数リスト情報を更新する更新手段と；前記デジタル中継局情報における前記デジタル中継局のそれぞれの位置情報及び送信パワー情報に基づいて、前記デジタル中継局のそれぞれから送信されるデジタル放送波の受信可能範囲を特定する特定手段と；を備えることを特徴とする放送受信装置である。
【００１０】
請求項１１に記載の発明は、移動体に搭載され、デジタル中継局識別情報、放送ネットワーク識別情報及び放送周波数情報が関連付けられた登録周波数リスト情報、デジタル中継局のそれぞれの位置情報及び送信パワー情報を含むデジタル中継局情報、並びにアナログ中継局のそれぞれの位置情報を含むアナログ中継局情報を記憶する記憶手段を備えるとともに、デジタル放送波を受信する放送受信装置において使用される中継局情報処理方法であって、前記デジタル放送波に含まれる周波数リスト関連情報に基づいて、都道府県単位より狭い領域単位ごとに定められたデジタル中継局の所在領域情報及び送信パワー情報を含む最新周波数リスト情報を取得する取得工程と；前記最新周波数リスト情報と、前記登録周波数リスト情報とに基づいて、前記最新周波数リスト情報には含まれるが、前記登録周波数リスト情報には含まれない新規デジタル中継局を抽出する抽出工程と；前記新規デジタル中継局の所在領域情報及び前記アナログ中継局情報を考慮して、前記新規デジタル中継局の位置を推定した後、前記推定された位置及び前記新規デジタル中継局の送信パワーを前記デジタル中継局情報に追加する推定工程と；前記最新周波数リスト情報に基づいて、前記登録周波数リスト情報を更新する更新工程と；前記デジタル中継局情報における前記デジタル中継局のそれぞれの位置情報及び送信パワー情報に基づいて、前記デジタル中継局のそれぞれから送信されるデジタル放送波の受信可能範囲を特定する特定工程と；を備えることを特徴とする中継局情報処理方法である。
【００１１】
請求項１２に記載の発明は、請求項１１に記載の中継局情報処理方法を演算手段に実行させる、ことを特徴とする中継局情報処理プログラムである。
【００１２】
請求項１３に記載の発明は、請求項１２に記載の中継局情報処理プログラムが、演算手段により読み取り可能に記録されている、ことを特徴とする記録媒体である。
【図面の簡単な説明】
【００１３】
【図１】本発明の一実施形態に係る放送受信装置の構成を概略的に示すブロック図である。
【図２】図１の再生処理ユニットの構成を示すブロック図である。
【図３】図２の再生用ＯＦＤＭ復調部の構成を示すブロック図である。
【図４】図２の付加ＯＦＤＭ復調部の構成を示すブロック図である。
【図５】図１の制御ユニットの構成を示すブロック図である。
【図６】図５の登録周波数リスト情報の内容を説明するための図である。
【図７】図５のアナログ中継局情報の内容を説明するための図である。
【図８】図５の郵便番号領域情報の内容を説明するための図である。
【図９】図５のデジタル中継局情報の内容を説明するための図である。
【図１０】デジタル中継局情報の更新に際しての周波数リスト取得部の処理を説明するためのフローチャートである。
【図１１】デジタル中継局情報の更新に際しての周波数リスト変更抽出部の処理を説明するためのフローチャートである。
【図１２】デジタル中継局情報の更新に際してのデジタル中継局情報更新部の処理を説明するためのフローチャートである。
【図１３】図１２における新規デジタル中継局の位置推定処理を説明するためのフローチャートである。
【図１４】図１の装置による自動選局切換制御処理を説明するためのフローチャートである。
【図１５】図１の装置による受信可能チャンネルの表示処理を説明するためのフローチャートである。
【発明を実施するための形態】
【００１４】
以下、本発明の一実施形態を、図１〜図１５を参照して説明する。なお、本実施形態においては、ＭＰＥＧ方式によるコード化が行われた後にＯＦＤＭ（Orthogonal Frequency Division Multiplex）変調が施された地上デジタル放送波を受信して処理する、車両に搭載された放送受信装置を例示して説明する。また、以下の説明及び図面においては、同一又は同等の要素には同一の符号を付し、重複する説明を省略する。
【００１５】
［構成］
図１には、一実施形態に係る放送受信装置１００の概略的な構成がブロック図にて示されている。
【００１６】
図１に示されるように、放送受信装置１００は、２個のアンテナ１１０1,１１０2と、２個のＲＦ処理ユニット１２０1,１２０2と、再生処理ユニット１３０とを備えている。また、放送受信装置１００は、操作入力ユニット１４０と、音出力ユニット１５０と、表示手段としての表示ユニット１６０とを備えている。さらに、放送受信装置１００は、検出手段としての測位ユニット１７０と、制御ユニット１８０とを備えている。
【００１７】
上記のアンテナ１１０1，１１０2は、放送波を受信する。そして、アンテナ１１０1による受信結果は、受信信号ＲＦＳ1として、ＲＦ処理ユニット１２０1へ送られる。また、アンテナ１１０2による受信結果は、受信信号ＲＦＳ2として、ＲＦ処理ユニット１２０2へ送られる。
【００１８】
上記のＲＦ処理ユニット１２０1は、制御ユニット１８０からの選局指令ＣＳＬ1及び再生処理ユニット１３０からの自動利得制御信号ＡＧＣ1に従って、選択すべき物理チャンネルの信号を受信信号ＲＦＳ1から抽出する選局処理を行う。この選局処理の結果は、信号ＩＦＳ1として再生処理ユニット１３０へ送られる。
【００１９】
上記のＲＦ処理ユニット１２０2は、制御ユニット１８０からの選局指令ＣＳＬ2及び再生処理ユニット１３０からの自動利得制御信号ＡＧＣ2に従って、選択すべき物理チャンネルの信号を受信信号ＲＦＳ2から抽出する選局処理を行う。この選局処理の結果は、信号ＩＦＳ2として再生処理ユニット１３０へ送られる。
【００２０】
ＲＦ処理ユニット１２０j（ｊ＝１，２）は、入力フィルタ、高周波増幅器、バンドパスフィルタ（以下、「ＲＦフィルタ」と呼ぶ）、ミキサ（混合器）、中間周波フィルタ（以下、「ＩＦフィルタ」と呼ぶ）、中間周波増幅器、局部発振回路等（いずれも不図示）を備えて構成されている。
【００２１】
このＲＦ処理ユニット１２０jでは、対応するアンテナ１１０jからの受信信号ＲＦＳjが、入力フィルタを通過することにより、帯域外成分が除去された後、高周波増幅器により増幅される。こうして高周波増幅器により増幅された信号は、ＲＦフィルタにより、特定の高周波数範囲の信号が抽出された後、ミキサにおいて、制御ユニット１８０からの選局指令ＣＳＬjに従って局部発振回路により生成された希望局に対応する周波数を有する局部発振信号と混合される。ミキサによる混合結果からＩＦフィルタにより予め定められた中間周波数帯の信号が選択される。中間周波増幅器は、ＩＦフィルタを通過した信号を増幅する。ここで、中間周波増幅器の増幅率は、再生処理ユニット１３０からの自動利得制御信号ＡＧＣjによって制御されるようになっている。この中間周波増幅器による増幅結果は、信号ＩＦＳjとして、再生処理ユニット１３０へ向けて出力される。
【００２２】
上記の再生処理ユニット１３０は、制御ユニット１８０による制御のもとで、ＲＦ処理ユニット１２０1，１２０2から送られる信号ＩＦＳ1，ＩＦＳ2を処理して、音出力ユニット１５０へ供給するための音声データＡＤＴ及び表示ユニット１６０へ供給するための映像データＩＤＴを生成する。この再生処理ユニット１３０は、図２に示されるように、再生用ＯＦＤＭ復調部１３１1と、付加ＯＦＤＭ復調部１３１2と、デコード部１３２と、音声処理部１３３と、映像処理部１３４とを備えている。
【００２３】
上記の再生用ＯＦＤＭ復調部１３１1は、ＲＦ処理ユニット１２０1の利得の自動制御を行うとともに、ＲＦ処理ユニット１２０j（ｊ＝１，２）から送られる信号ＩＦＳj に基づいて、ＯＦＤＭ復調処理を行う。この再生用ＯＦＤＭ復調部１３１1は、図３に示されるように、ＡＧＣ制御部２２１1と、信号合成部２２２と、復調部２２３1と、ＣＮＲ検出部２２５1を備えている。
【００２４】
上記のＡＧＣ制御部２２１1は、ＲＦ処理ユニット１２０1から送られる信号ＩＦＳ1を受ける。そして、ＡＧＣ制御部２２１1は、信号ＩＦＳ1の信号レベルを検出し、信号レベルを所定レベルとするための自動利得制御信号ＡＧＣ1を生成する。生成された自動利得制御信号ＡＧＣ1は、ＲＦ処理ユニット１２０1へ送られる。
【００２５】
上記の信号合成部２２２は、ＲＦ処理ユニット１２０1，１２０2から送られる信号ＩＦＳ1，ＩＦＳ2を受ける。そして、制御ユニット１８０による制御のもとで、信号合成処理を行う。
【００２６】
この信号合成部２２２は、制御ユニット１８０からの合成制御指令ＳＮＣにより合成すべきことが指定された場合には、信号ＩＦＳ1，ＩＦＳ2の２つの信号の合成を行い、信号ＳＮＤとして復調部２２３1へ送る。一方、信号合成部２２２は、制御ユニット１８０からの合成制御指令ＳＮＣにより合成すべきではないことが指定された場合には、信号合成を行わず、信号ＩＦＳ1を信号ＳＮＤとして、復調部２２３1へ送る。
【００２７】
上記の復調部２２３1は、信号合成部２２２から送られる信号ＳＮＤを受ける。そして、復調部２２３1は、信号ＳＮＤに対してＯＦＤＭ復調を施す。このＯＦＤＭ復調結果の音声及び映像に関する情報は、コンテンツ復調信号ＤＭＤとして、デコード部１３２に送られる。一方、ＯＦＤＭ復調結果におけるデータ放送に関する情報は、信号ＤＢＤ1として制御ユニット１８０へ送られる。かかる信号ＤＢＤ1に含まれる情報としては、ＰＳＩ（Program Specific Information）に含まれるＮＩＴ（Network Information Table）情報等がある。
【００２８】
上記のＣＮＲ検出部２２５1は、ＲＦ処理ユニット１２０1から送られる信号ＩＦＳ1を受ける。そして、ＣＮＲ検出部２２５1は、信号ＩＦＳ1におけるＣＮＲ（Carrier to Noise Ratio）を検出する。この検出結果は、検出値ＣＮＲ1として、制御ユニット１８０に送られる。
【００２９】
図２に戻り、上記の付加ＯＦＤＭ復調部１３１2は、ＲＦ処理ユニット１２０2の利得の自動制御を行うとともに、ＲＦ処理ユニット１２０2から送られる信号ＩＦＳ2 に基づいて、ＯＦＤＭ復調処理を行う。この付加ＯＦＤＭ復調部１３１2は、図４に示されるように、ＡＧＣ制御部２２１2と、復調部２２３2と、ＣＮＲ検出部２２５2とを備えている。
【００３０】
上記のＡＧＣ制御部２２１2は、ＲＦ処理ユニット１２０2から送られる信号ＩＦＳ2を受ける。そして、ＡＧＣ制御部２２１2は、信号ＩＦＳ2の信号レベルを検出し、信号レベルを所定レベルとするための自動利得制御信号ＡＧＣ2を生成する。生成された自動利得制御信号ＡＧＣ2は、ＲＦ処理ユニット１２０2へ送られる。
【００３１】
上記の復調部２２３2は、ＲＦ処理ユニット１２０2から送られる信号ＩＦＳ2を受ける。そして、復調部２２３2は、信号ＩＦＳ2に対してデータ放送に関する情報に対してＯＦＤＭ復調を施す。このＯＦＤＭ復調結果は、信号ＤＢＤ2として制御ユニット１８０へ向けて送られる。かかる信号ＤＢＤ2に含まれる情報としては、周波数リスト・変更情報等がある。
【００３２】
なお、周波数リスト・変更情報には、「地上デジタルテレビジョン放送運用規定  技術資料  ＡＲＩＢ  ＴＲ−Ｂ１４」で規定されるように、放送サービスエリアを示す「地域識別」、放送ネットワークの種類を示す「ネットワーク識別」、周波数変更や新規置局の「作業日開始日」、「変更にかかる日数」、「変更年月日」、「変更前後の物理チャンネル」、「中継局識別」、「送信パワー」、「中継局の郵便番号」などが含まれている。
【００３３】
上記のＣＮＲ検出部２２５2は、ＲＦ処理ユニット１２０2から送られる信号ＩＦＳ2を受ける。そして、ＣＮＲ検出部２２５2は、信号ＩＦＳ2におけるＣＮＲを検出する。この検出結果は、検出値ＣＮＲ2として、制御ユニット１８０に送られる。
【００３４】
図２に戻り、上記のデコード部１３２は、再生用ＯＦＤＭ復調部１３１1から送られるコンテンツ復調信号ＤＭＤを受ける。そして、デコード部１３２は、コンテンツ復調信号ＤＭＤのデコードを行い、音声に関するデコード結果を、復号音声データＤＡＤとして、音声処理部１３３へ送る。また、デコード部１３２は、映像に関するデコード結果を、復号映像データＤＩＤとして、映像処理部１３４へ送る。
【００３５】
上記の音声処理部１３３は、復号音声データＤＡＤに基づいて音声データＡＤＴを生成する。生成された音声データＡＤＴは、音出力ユニット１５０へ送られる。
【００３６】
上記の映像処理部１３４は、復号映像データＤＩＤ及び制御ユニット１８０から送られる画像制御データＤＣＤを受ける。ここで、画像制御データＤＣＤの種類としては、制御ユニット１８０が表示制御を行う文字放送データ、受信可能チャンネルを表示するための情報等が含まれる。この映像処理部１３４は、復号映像データＤＩＤ及び画像制御データＤＣＤに基づいて映像データＩＤＴを生成する。生成された映像データＩＤＴは、表示ユニット１６０へ送られる。
【００３７】
図１に戻り、上記の操作入力ユニット１４０は、放送受信装置１００の本体部に設けられたキー部、及び／又はキー部を備えるリモート入力装置等により構成される。ここで、本体部に設けられたキー部としては、表示ユニット１６０に設けられたタッチパネルを用いることができる。また、キー部を有する構成に代えて、又は併用して音声認識技術を利用して音声にて入力する構成を採用することもできる。
【００３８】
この操作入力ユニット１４０を利用者が操作することにより、放送受信装置１００の動作内容の設定が行われる。例えば、放送事業者を指定した選局指定等を、利用者が操作入力ユニット１４０を操作することによって行われる。こうして操作入力された内容は、操作入力データＩＰＤとして、操作入力ユニット１４０から制御ユニット１８０へ向けて送られる。
【００３９】
上記の音出力ユニット１５０は、（ｉ）再生処理ユニット１３０から受信した音声データＡＤＴをアナログ信号に変換するＤＡ（Digital to Analogue）変換器と、（ii）当該ＤＡ変換器から出力されたアナログ信号を増幅する増幅器と、（iii）増幅されたアナログ信号を音声に変換するスピーカとを備えて構成されている。この音出力ユニット１５０は、選局されているチャンネルの放送波に対応する放送音声を再生出力する。
【００４０】
上記の表示ユニット１６０は、例えば、（ｉ）液晶パネル、有機ＥＬ（Electro Luminescence）パネル、ＰＤＰ（Plasma Display Panel）等の表示デバイスと、（ii）再生処理ユニット１３０から送られた映像データＩＤＴに基づいて、当該表示デバイスに画像を表示させる表示制御回路とを備えている。この表示ユニット１６０は、選局されているチャンネルに対応する放送画像を再生表示する。
【００４１】
上記の測位ユニット１７０は、ＧＰＳ（Global Positioning System）受信器を備えて構成されている。この測位ユニット１７０は、複数のＧＰＳ衛星からの電波の受信結果に基づいて、車両の現在の３次元位置を検出する。こうして検出された車両の現在位置は、測位データＣＰＤとして制御ユニット１８０へ送られる。
【００４２】
上記の制御ユニット１８０は、様々な処理を行うとともに、放送受信装置１００の全体の動作を制御する。かかる機能を有する制御ユニット１８０は、図５に示されるように、記憶手段としての記憶部１８１と、処理制御部１８２とを備えている。
【００４３】
上記の記憶部１８１には様々な情報データが記憶される。記憶部１８１に記憶される情報データとしては、登録周波数リスト情報２４１、アナログ中継局情報２４２、郵便番号領域情報２４３、デジタル中継局情報２４４等がある。なお、記録部１８１には、処理制御部１８２がアクセス可能となっている。
【００４４】
上記の登録周波数リスト情報２４１には、各時点における最新の周波数リスト情報が登録される。この登録周波数リスト情報２４１には、図６に示されるように、登録個別周波数情報２４１Ｄ1，２４１Ｄ2，…が含まれている。こうした登録個別周波数情報２４１Ｄ1，２４１Ｄ2，…のそれぞれは、送信パワー情報、放送ネットワーク識別情報、中継局識別情報、物理チャンネル情報（周波数情報）、郵便番号、放送開始日、放送終了日等を含んでいる。かかる登録個別周波数情報は、放送ネットワーク識別情報と中継局識別情報との組み合わせごとに、登録周波数リスト情報２４１内に登録される。
【００４５】
ここで、「送信パワー情報」は、「中継局識別情報」により特定されるデジタル中継局が、放送ネットワーク識別情報により特定されるデジタル放送の放送波を送信する際のパワーを示している。また、「物理チャンネル情報」は、当該放送の物理チャンネルを示しており、当該放送の放送波の周波数帯を示している。
【００４６】
また、「郵便番号」は、当該デジタル中継局の所在位置が属する領域の郵便番号を示している。また、「放送開始日」は、当該デジタル中継局が当該放送を開始する日を示している。また、「放送終了日」は、当該デジタル中継局が当該放送を終了する日を示している。
【００４７】
なお、登録周波数リスト情報２４１は、処理制御部１８２により更新される。かかる登録周波数リスト情報２４１の更新については、後述する。
【００４８】
図５に戻り、上記のアナログ中継局情報２４２は、アナログ中継局ごとの位置情報等が登録される。このアナログ中継局情報２４２は、図７に示されるように、個別アナログ中継局情報２４２Ｄ1，２４２Ｄ2，…が含まれている。こうした個別アナログ中継局情報２４２Ｄ1，２４２Ｄ2，…のそれぞれは、送信パワー情報、放送ネットワーク識別情報、郵便番号、所在位置情報等を含んでいる。かかる個別アナログ中継局情報は、放送を行っている、又は、行っていたアナログ中継局と、「放送ネットワーク識別情報」との組み合わせごとに用意されている。
【００４９】
ここで、「送信パワー情報」は、当該アナログ放送中継局が、「放送ネットワーク識別情報」により特定されるアナログ放送の放送波を送信する際のパワーを示している。また、「郵便番号」は、当該アナログ中継局の所在位置が属する領域の郵便番号を示している。
【００５０】
「所在位置情報」は、当該アナログ放送中継局の所在位置の詳細を示している。「所在位置情報」には、当該アナログ放送中継局の所在位置の経度、緯度及び標高が含まれるようになっている。
【００５１】
なお、アナログ中継局情報２４２は、既知のアナログ中継局に関する情報から、予め作成され、記憶部１８１内に登録されるようになっている。
【００５２】
図５に戻り、上記の郵便番号領域情報２４３には、郵便番号ごとに、対応する領域に関する情報が登録される。この郵便番号領域情報２４３には、図８に示されるように、郵便番号ごとに対応して個別郵便番号領域情報２４３Ｄ1，２４３Ｄ2，…が含まれている。こうした個別郵便番号領域情報２４３Ｄ1，２４３Ｄ2，…には、郵便番号、代表位置情報及び領域種別情報が含まれている。
【００５３】
ここで、「代表位置情報」は、当該郵便番号で特定される領域の代表位置の詳細を示している。「代表位置情報」には、代表位置の所在位置の経度、緯度及び標高が含まれるようになっている。なお、「代表位置」としては、当該郵便番号で特定される領域の中央位置を採用することもできるし、当該郵便番号で特定される領域のランドマークとなる位置（例えば、市役所位置等）を採用することもできる。
【００５４】
また、「領域種別情報」は、当該郵便番号で特定される領域についての放送波伝搬の観点からの平均的な領域種別を示している。かかる領域種別としては、例えば、大都市、中小都市、郊外、開放地等の種別を採用することができる。
【００５５】
なお、郵便番号領域情報２４３は、既知の郵便番号ごとに対応する領域に関する情報から、予め作成され、記憶部１８１内に登録されるようになっている。
【００５６】
図５に戻り、上記のデジタル中継局情報２４４は、現時点でデジタル放送波を送信しているデジタル中継局の情報が登録される。このデジタル中継局情報２４４には、図９に示されるように、個別デジタル中継局情報２４４Ｄ1，２４４Ｄ2，…が含まれている。こうした個別デジタル中継局情報２４４Ｄ1，２４４Ｄ2，…のそれぞれは、送信パワー情報、放送ネットワーク識別情報、中継局識別情報、物理チャンネル情報（周波数情報）、所在位置情報、領域種別情報等を含んでいる。かかる個別デジタル中継局情報は、放送ネットワーク識別情報と中継局識別情報との組み合わせごとに、デジタル中継局情報２４４内に用意されるようになっている。
【００５７】
ここで、「送信パワー情報」は、「中継局識別情報」により特定されるデジタル中継局が、放送ネットワーク識別情報により特定されるデジタル放送の放送波を送信する際のパワーを示している。また、「物理チャンネル情報」は、当該放送の物理チャンネルを示しており、当該放送の放送波の周波数帯を示している。
【００５８】
また、「所在位置情報」は、当該デジタル放送中継局の所在位置の詳細を示している。本実施形態では、「所在位置情報」には、当該デジタル放送中継局の所在位置の経度、緯度及び標高が含まれるようになっている。また、「領域種別情報」は、当該デジタル中継局が存在している領域についての放送波伝搬の観点からの平均的な領域種別を示している。
【００５９】
なお、デジタル中継局情報２４４は、処理制御部１８２により更新される。かかるデジタル中継局情報２４４の更新については、後述する。
【００６０】
図５に戻り、上記の処理制御部１８２は、記憶部１８１にアクセスしつつ、様々な処理を実行するとともに、上述した他の構成要素の動作制御を行う。かかる機能を有する処理制御部１８２は、取得手段としての周波数リスト取得部２５１と、抽出手段及び更新手段としての周波数リスト変更抽出部２５２とを備えている。また、処理制御部１８２は、推定手段としてのデジタル中継局情報更新部２５３と、特定手段、導出手段、サーチ手段及び表示制御手段としての動作制御部２５４とを備えている。
【００６１】
上記の周波数リスト取得部２５１は、再生処理ユニット１３０から送られる信号ＤＢＤ2を受ける。そして、周波数リスト取得部２５１は、信号ＤＢＤ2に含まれる新たな周波数リスト・変更情報に基づいて、最新周波数リスト情報を取得する。こうして取得された最新周波数リスト情報は、周波数リスト取得部２５１から周波数リスト変更抽出部２５２へ送られる。
【００６２】
上記の周波数リスト変更抽出部２５２は、周波数リスト取得部２５１から送られる最新周波数リスト情報を受ける。そして、周波数リスト変更抽出部２５２は、当該最新周波数リスト情報、及び、記憶部１８１内の登録周波数リスト情報２４１に基づいて、現時点における登録周波数リスト情報２４１からの変更情報を抽出する。さらに、周波数リスト変更抽出部２５２は、抽出された変更情報に基づき、新たな登録個別周波数情報を作成し、または、既存の登録個別周波数情報を変更することにより、登録周波数リスト情報２４１を更新する。
【００６３】
また、周波数リスト変更抽出部２５２は、抽出された変更情報及び時間の経過に基づいて、登録周波数リスト情報２４１を更に更新するとともに、デジタル中継局情報２４４の更新用情報を、デジタル中継局情報更新部２５３へ送る。
【００６４】
上記のデジタル中継局情報更新部２５３は、周波数リスト変更抽出部２５２から送られる更新用情報を受ける。そして、デジタル中継局情報更新部２５３は、当該更新用情報に基づいて、必要に応じてデジタル中継局の位置推定を行いつつ、記憶部１８１内のデジタル中継局情報２４４を更新する。
【００６５】
上記の動作制御部２５４は、放送受信装置１００の選局動作及び表示動作の制御を行う。この動作制御部２５４は、操作入力ユニット１４０から送られる操作入力データＩＰＤに基づく利用者の選局指令に対応した選局制御処理を行う。
【００６６】
また、動作制御部２５４は、車両の移動にともなって、放送コンテンツの再生中に再生チャンネルの受信状態が悪化した場合には、記憶部１８１のデジタル中継局情報２４４を参照し、現在位置において当該放送コンテンツの継続的な再生を良好に行うための自動選局切換制御処理を行う。また、動作制御部２５４は、操作入力ユニット１４０を介した利用者による受信可能チャンネル表示指令を受けると、記憶部１８１のデジタル中継局情報２４４を参照して現在位置においての受信可能チャンネルを抽出し、表示ユニット１６０に対し受信可能チャンネルの表示処理を行う。
【００６７】
［動作］
次に、上記のように構成された放送受信装置１００の動作について、デジタル中継局情報２４４の更新処理、自動選局切換制御処理及び受信可能チャンネルの表示処理に主に着目して説明する。
【００６８】
＜登録周波数リスト情報２４１及びデジタル中継局情報２４４の更新処理＞
まず、登録周波数リスト情報２４１及びデジタル中継局情報２４４の更新処理について説明する。
【００６９】
なお、当初においては、デジタル中継局情報２４４の内容は、登録周波数リスト情報２４１に対応した内容になっているものとする。また、周波数リスト・変更情報は、予め定められた特定の放送ネットワーク（以下、「特定放送ネットワーク」と呼ぶ）の物理チャンネルによって放送されるものとする。
【００７０】
さらに、周波数リスト・変更情報の次の放送予定日時に関する情報は、全物理チャンネルを介して放送されるようになっているものとする。このため、本実施形態においては、いずれの物理チャンネルがＲＦ処理ユニット１２０1において選局されている場合であっても、当該周波数リスト・変更情報の次の放送予定日時に関する情報は、信号ＤＢＤ1に含まれ、動作制御部２５４に対して送られるようになっている。そして、当初においては、周波数リスト・変更情報の次の放送予定日時に関する情報は、動作制御部２５４に既に送られているものとする。
【００７１】
《最新周波数リスト情報の取得処理》
登録周波数リスト情報２４１及びデジタル中継局情報２４４の更新処理に際しては、周波数リスト・変更情報の放送予定日時となると、動作制御部２５４は、まず、測位ユニット１７０から送られる測位データＣＰＤを取得する。引き続き、動作制御部２５４は、デジタル中継局情報２４４内における特定放送ネットワークに対応する個別デジタル中継局情報を抽出する。
【００７２】
次に、動作制御部２５４は、抽出された特定放送ネットワークに対応する個別デジタル中継局情報のそれぞれにおける「送信パワー情報」、「物理チャンネル情報」、「標高」及び「領域種別情報」並びに、車両の現在位置における標高に基づいて、当該抽出された特定放送ネットワークの物理チャンネルの放送波を有効に受信することができる受信可能範囲を算出する。なお、本実施形態では、周知の奥村・秦カーブの手法を利用して、当該受信可能範囲の大きさが算出されるものとする。そして、算出された受信可能範囲、対応する個別デジタル中継局情報における「所在位置情報」、及び、車両の現在位置に基づいて、特定放送ネットワークの放送波を有効に受信することができる物理チャンネルを特定していく。
【００７３】
引き続き、動作制御部２５４は、最初に特定された物理チャンネルを選局するための選局指令ＣＳＬ2を、ＲＦ処理ユニット１２０2へ送るとともに、信号ＩＦＳ1，ＩＦＳ2の２つの信号を合成しない旨の合成制御指令ＳＮＣを、再生処理ユニット１３０の信号合成部２２２へ送る。この結果、アンテナ１１０2で周波数リスト・変更情報を含む放送波を受信すると、周波数リスト・変更情報を含む信号ＤＢＤ2が周波数リスト取得部２５１へ送られ、最新周波数リスト情報取得処理が、周波数リスト取得部２５１によって行われる。
【００７４】
なお、特定された物理チャンネルを選局するための選局指令ＣＳＬ2を、ＲＦ処理ユニット１２０2へ送るとともに、信号ＩＦＳ1，ＩＦＳ2の２つの信号を合成しない旨の合成制御指令ＳＮＣを、再生処理ユニット１３０の信号合成部２２２へ送るので、周波数リスト・変更情報の取得処理と並行して、周波数リスト・変更情報を含む放送波の物理チャンネルと異なる別物理チャンネルの放送を、ＲＦ処理ユニット１２０1を利用して再生することができる。また、当該特定放送ネットワークの物理チャンネルとは別の物理チャンネルの放送波を受信中に、当該選局指令ＣＳＬ2によって当該最初に特定された物理チャンネルが選局された場合は、周波数リスト・変更情報の放送が終了した時間を見計らって、動作制御部２５４は、当該別の物理チャンネルを選局するための選局指令ＣＳＬ2を、ＲＦ処理ユニット１２０2へ送るとともに、信号ＩＦＳ1，ＩＦＳ2の２つの信号を合成すべき旨の合成制御指令ＳＮＣを、再生処理ユニット１３０の信号合成部２２２へ送る。
【００７５】
最新周波数リスト情報の取得処理においては、周波数リスト取得部２５１は、図１０に示されるように、まず、ステップＳ１１において、新たな周波数リスト・変更情報を受けたか否かを判定する。この判定が否定的であった場合（ステップＳ１１：Ｎ）には、ステップＳ１１の処理を繰り返す。
【００７６】
新たな周波数リスト・変更情報を受け、ステップＳ１１における判定の結果が肯定的となると（ステップＳ１１：Ｙ）、処理はステップＳ１２へ進む。このステップＳ１２では、周波数リスト取得部２５１が、新たな周波数リスト・変更情報に基づいて、最新周波数リスト情報を取得する。そして、周波数リスト取得部２５１は、取得した最新周波数リスト情報を周波数リスト変更抽出部２５２へ送る。
【００７７】
ステップＳ１２の処理が終了すると、処理はステップＳ１１へ戻る。以後、周波数リスト取得部２５１においては、ステップＳ１１，Ｓ１２の処理が繰り返される。
【００７８】
《周波数リスト変更抽出部２５２における処理》
登録周波数リスト情報２４１及びデジタル中継局情報２４４の更新処理に際して、周波数リスト変更抽出部２５２は、図１１に示されるように、まず、ステップＳ２１において、周波数リスト取得部２５１からの最新周波数リスト情報を受けたか否かを判定する。この判定の結果が否定的であった場合（ステップＳ２１：Ｎ）には、後述するステップＳ２３へ進む。
【００７９】
次に、周波数リスト取得部２５１からの最新周波数リスト情報を受け、ステップＳ２１における判定の結果が肯定的となると（ステップＳ２１：Ｙ）、処理はステップＳ２２へ進む。このステップＳ２２では、周波数リスト変更抽出部２５２は、周波数リスト取得部２５１から受けた最新周波数リスト情報、及び、記憶部１８１内の登録周波数リスト情報２４１に基づいて、当該最新周波数リスト情報における、登録周波数リスト情報２４１からの変更点に関する変更情報を抽出する。そして、周波数リスト変更抽出部２５２は、抽出された変更情報基づく、新たな登録個別周波数情報の作成、又は既存の登録個別周波数情報の変更により、登録周波数リスト情報２４１を更新する。
【００８０】
かかる登録周波数リスト情報２４１の更新に際して、抽出された変更情報に、「放送ネットワーク識別情報」と「中継局識別情報」との組み合わせとして新たなものがあった場合には、周波数リスト変更抽出部２５２は、新たな登録個別周波数情報を作成し、登録周波数リスト情報２４１に登録する。また、抽出された変更情報に、「放送ネットワーク識別情報」と「中継局識別情報」との既存の組み合わせに関する新たな放送終了予定に関する情報が含まれている場合には、対応する既存の登録個別周波数情報における「放送終了日」を新たに登録する。
【００８１】
次に、ステップＳ２３において、周波数リスト変更抽出部２５２は、時間の経過を監視し、デジタル中継局情報の更新が必要となったか否かを判定する。このステップＳ２３では、当該新たな登録個別周波数情報における放送開始日となったか否か、又は、既存の登録個別周波数情報における放送終了日となったか否かを判定する。この判定の結果が否定的であった場合（ステップＳ２３：Ｎ）には、処理はステップＳ２１へ戻る。そして、ステップＳ２３における判定の結果が肯定的となるまで、ステップＳ２１〜２３の処理が繰り返される。
【００８２】
時間の経過により、ステップＳ２３における判定の結果が肯定的となると（ステップＳ２３：Ｙ）、処理はステップＳ２４へ進む。このステップＳ２４では、周波数リスト変更抽出部２５２は、デジタル中継局情報を更新するためのデジタル中継局情報更新情報を、デジタル中継局情報更新部２５３へ送る。例えば、当該新たな登録個別周波数情報における放送開始日となった場合には、当該新たな登録個別周波数情報ごとに、「放送開始日」及び「放送終了日」を除いたものと同等の情報を、デジタル中継局情報更新情報として、デジタル中継局情報更新部２５３へ送る。また、周波数リスト変更抽出部２５２は、当該既存の登録個別周波数情報における放送終了日となった場合には、当該放送終了となる既存登録個別周波数情報ごとに、放送終了である旨を、放送終了となる登録個別周波数情報とともに、デジタル中継局情報更新情報として、デジタル中継局情報更新部２５３へ送る。
【００８３】
なお、既存の登録個別周波数情報における放送終了日となった場合には、周波数リスト変更抽出部２５２は、登録周波数リスト情報２４１内の対応する当該既存の登録個別周波数情報を削除するようになっている。
【００８４】
ステップＳ２４の処理が終了すると、処理はステップＳ２１へ戻る。以後、ステップＳ２１〜Ｓ２４の処理が繰り返される。
【００８５】
《デジタル中継局情報更新部２５３における処理》
デジタル中継局情報２４４の更新処理に際して、デジタル中継局情報更新部２５３は、図１２に示されるように、まず、ステップＳ３１において、周波数リスト変更抽出部２５２から、デジタル中継局情報更新情報を受けたか否かを判定する。この判定の結果が否定的であった場合（ステップＳ３１：Ｎ）には、ステップＳ３１の処理が繰り返される。
【００８６】
デジタル中継局情報更新情報を受け、ステップＳ３１における判定の結果が肯定的となると（ステップＳ３１：Ｙ）、処理はステップＳ３２へ進む。このステップＳ３２では、デジタル中継局情報更新部２５３は、デジタル中継局情報更新情報に新規デジタル中継局の放送開始に関するものが含まれるか否かを判定する。ここで、新規デジタル中継局とは、当該新たな登録個別周波数情報に含まれる中継局識別情報により識別されるデジタル中継局のことを示す。かかる判定は、デジタル中継局情報更新部２５３が、デジタル中継局情報更新情報における「中継局識別情報」と同一の「中継局識別情報」を含んだ個別デジタル中継局情報が、デジタル中継局情報２４４内に存在するか否かを判定することにより行われる。
【００８７】
ステップＳ３２における判定の結果が肯定的であった場合（ステップＳ３２：Ｙ）には、処理はステップＳ３３へ進む。このステップＳ３３では、デジタル中継局情報更新部２５３が、新規デジタル中継局の位置推定を行う。かかる位置推定は、新規デジタル中継局の開設は、既存のアナログ中継局の設備を利用する場合が大半であることに基づいて行われる。
【００８８】
かかる新規デジタル中継局の位置推定に際しては、図１３に示されるように、まず、ステップＳ４１において、デジタル中継局情報更新部２５３が、アナログ中継局情報２４２を検索し、新規デジタル中継局と同一の郵便番号のアナログ中継局が有るか否かを判定する。かかる判定に際して、デジタル中継局情報更新部２５３は、アナログ中継局情報２４２内に、デジタル中継局情報更新情報における「郵便番号」と同一の「郵便番号」が登録されている個別アナログ中継局情報を抽出する第１次抽出を行う。そして、第１次抽出により少なくとも１つの個別アナログ中継局情報が抽出された場合には、新規デジタル中継局と同一の郵便番号のアナログ中継局が有ると判定し、１つの個別アナログ中継局情報も抽出されなかった場合には、新規デジタル中継局と同一の郵便番号のアナログ中継局が無いと判定する。
【００８９】
ステップＳ４１における判定の結果が肯定的であった場合（ステップＳ４１：Ｙ）には、処理はステップＳ４２へ進む。このステップＳ４２では、デジタル中継局情報更新部２５３が、第１次抽出された個別アナログ中継局情報の中から、デジタル中継局情報更新情報における「放送ネットワーク識別情報」と同一の「放送ネットワーク識別情報」が登録されたものを抽出する第２次抽出を行う。この第２次抽出により、少なくとも１つの個別アナログ中継局情報が抽出された場合には、新規デジタル中継局と同一の放送ネットワークの放送波を送信するアナログ中継局が有ると判定し、１つの個別アナログ中継局情報も抽出されなかった場合には、新規デジタル中継局と同一の放送ネットワークの放送波を送信するアナログ中継局が無いと判定する。
【００９０】
こうしたステップＳ４２における判定を行うのは、新規デジタル中継局の開設に際して、既存のアナログ中継局の設備を利用する場合には、新規デジタル中継局は、既存のアナログ中継局と同一の放送ネットワークの放送波を送信することが殆どだからである。
【００９１】
ステップＳ４２における判定の結果が肯定的であった場合（ステップＳ４２：Ｙ）には、処理はステップＳ４３へ進む。このステップＳ４３では、デジタル中継局情報更新部２５３が、第２次抽出された個別アナログ中継局情報の中から、デジタル中継局情報更新情報における「送信パワー情報」と所定関係にある「送信パワー情報」が登録されたものを抽出する第３次抽出を行う。そして、ステップＳ４３では、第３次抽出により、少なくとも１つの個別アナログ中継局情報が抽出された場合には新規デジタル中継局との送信パワー条件を満たすアナログ中継局が有ると判定し、１つの個別アナログ中継局情報も抽出されなかった場合には、新規デジタル中継局との送信パワー条件を満たすアナログ中継局が無いと判定する。
【００９２】
なお、「所定関係」は、今までの実績に基づいて、予め定められる。本実施形態においては、「所定関係」を、デジタル中継局情報更新情報における「送信パワー情報」で示される送信パワーが、個別アナログ中継局情報に登録された「送信パワー情報」で示される送信パワー以下である関係としている。これは、新規デジタル中継局の開設に際して、既存のアナログ中継局の設備を利用する場合には、同一の放送ネットワークの放送波の送信パワーを、アナログ放送の場合の送信パワー以下とすることが大半であることに基づく。
【００９３】
ステップＳ４３における判定の結果が肯定的であった場合（ステップＳ４３：Ｙ）には、デジタル中継局情報更新部２５３は、新規デジタル中継局が既存のアナログ中継局と同一位置に開設されたと判断する。そして、処理はステップＳ４４へ進む。このステップＳ４４では、デジタル中継局情報更新部２５３が、第３次抽出された個別アナログ中継局情報が複数あるか否かを判定する。
【００９４】
ステップＳ４４における判定の結果が否定的であった場合（ステップＳ４４：Ｎ）には、処理はステップＳ４５へ進む。このステップＳ４５では、デジタル中継局情報更新部２５３が、第３次抽出された唯一の個別アナログ中継局情報に対応するアナログ中継局の位置が、新規デジタル中継局の位置であると推定する。そして、デジタル中継局情報更新部２５３は、第３次抽出された唯一の個別アナログ中継局情報に登録された「所在位置情報」を、新規デジタル中継局の「所在位置情報」として採用する。この後、ステップＳ３３の処理が終了する。
【００９５】
一方、ステップＳ４４における判定の結果が肯定的であった場合（ステップＳ４４：Ｙ）には、処理はステップＳ４６へ進む。このステップＳ４６では、デジタル中継局情報更新部２５３が、第３次抽出された個別アナログ中継局情報のうちから、新規デジタル中継局の送信パワーとの比が所定値に最も近いものに対応するアナログ中継局の位置が、新規デジタル中継局の位置であると推定する。そして、デジタル中継局情報更新部２５３は、該当する個別アナログ中継局情報に登録された「所在位置情報」を、新規デジタル中継局の「所在位置情報」として採用する。この後、ステップＳ３３の処理が終了する。
【００９６】
なお、「所定値」は、いままでの実績に基づいて、予め定められる。本実施形態においては、「所定値」を１対１０（新規デジタル中継局の送信パワー対アナログ中継局の送信パワー）であるとしている。これは、新規デジタル中継局の開設に際して、既存のアナログ中継局の設備を利用する場合には、このような値になることが大半であることに基づく。
【００９７】
上記のステップＳ４１，Ｓ４２，Ｓ４３における判定の結果が否定的であった場合には（ステップＳ４１：Ｎ、ステップＳ４２：Ｎ、又は、ステップＳ４３：Ｎ）には、デジタル中継局情報更新部２５３は、新規デジタル中継局が既存のアナログ中継局のいずれとも異なる位置に開設されたと判断する。そして、処理はステップＳ４７へ進む。このステップＳ４７では、デジタル中継局情報更新部２５３が、デジタル中継局情報更新情報における「郵便番号」と同一の「郵便番号」が登録されている個別郵便番号領域情報における「代表位置情報」で示される代表位置が、新規デジタル中継局の位置であると推定する。そして、デジタル中継局情報更新部２５３は、当該「代表位置情報」を、新規デジタル中継局の「所在位置情報」として採用する。この後、ステップＳ３３の処理が終了する。
【００９８】
以上のようにして、新規デジタル中継局の位置推定が終了すると、処理は図１２のステップＳ３４へ進む。このステップＳ３４では、デジタル中継局情報更新部２５３は、当該デジタル中継局情報更新情報における「郵便番号」と同一の「郵便番号」が登録されている個別郵便番号領域情報における「領域種別情報」を読み取る。引き続き、デジタル中継局情報更新部２５３は、読み取られた「領域種別情報」、ステップＳ３３により採用された「所在位置情報」、及び、デジタル中継局情報更新情報に基づいて、新規デジタル中継局に関する個別デジタル中継局情報を作成する。そして、デジタル中継局情報更新部２５３は、作成した個別デジタル中継局情報を、デジタル中継局情報２４４内に追加することにより、デジタル中継局情報２４４を更新する。この後、処理はステップＳ３１へ戻る。
【００９９】
上記のステップＳ３２における判定の結果が否定的であった場合（ステップＳ３２：Ｎ）には、処理はステップＳ３５へ進む。このステップＳ３５では、新規デジタル中継局の場合のような位置推定を行わずに、デジタル中継局情報２４４を更新する。
【０１００】
このステップＳ３５では、デジタル中継局情報更新情報が「放送ネットワーク識別情報」と「中継局識別情報」との新たな組み合わせによる放送開始に関するものでなかった場合には、デジタル中継局情報更新部２５３は、デジタル中継局情報更新情報における「中継局識別情報」と同一の「中継局識別情報」が登録された個別デジタル中継局情報における「所在位置情報」及び「領域種別情報」を、当該新たな組み合わせに対応する「所在位置情報」及び「領域種別情報」として採用する。引き続き、デジタル中継局情報更新部２５３は、採用された「所在位置情報」及び「領域種別情報」、並びに、デジタル中継局情報更新情報に基づいて、新たな個別デジタル中継局情報を作成する。そして、デジタル中継局情報更新部２５３は、作成された個別デジタル中継局情報を、デジタル中継局情報２４４内に追加することにより、デジタル中継局情報２４４を更新する。この後、処理はステップＳ３１へ戻る。
【０１０１】
また、デジタル中継局情報更新情報が「放送ネットワーク識別情報」と「中継局識別情報」との既存の組み合わせによる放送終了に関するものであった場合には、デジタル中継局情報更新部２５３は、「放送ネットワーク識別情報」と「中継局識別情報」との組み合わせに対応する個別デジタル中継局情報を、デジタル中継局情報２４４の中から削除する。こうして、放送終了に伴うデジタル中継局情報２４４の更新が行われる。
【０１０２】
上記のステップＳ３１〜Ｓ３５の処理が繰り返されることにより、受信した周波数リスト・変更情報を反映した内容に、デジタル中継局情報２４４が更新される。ここで、デジタル中継局の位置と高い蓋然性で位置が一致するアナログ中継局が特定される場合（ステップＳ４３：Ｙ）には、当該アナログ中継局の位置をデジタル中継局の位置と推定するので、デジタル中継局の位置が非常に精度良く推定されたものとなる。また、デジタル中継局の位置と高い蓋然性で位置が一致するアナログ中継局が特定できない場合（ステップＳ４１〜Ｓ４３のいずれか：Ｎ）であっても、悪くとも郵便番号に対応する領域の大きさ程度の精度で、デジタル中継局の位置が推定される。
【０１０３】
＜自動選局切換制御処理＞
次に、動作制御部２５４によって行われる自動選局切換制御処理について説明する。この自動選局切換制御処理は、放送受信装置１００における放送コンテンツの再生中に行われる。なお、当初においては、再生対象の放送コンテンツを放送している物理チャンネル（以下、「再生物理チャンネル」と呼ぶ）の選局指定が、ＲＦ処理ユニット１２０1，１２０2の双方に対して行われており、信号合成部２２２に対しては、信号ＩＦＳ1，ＩＦＳ2の２つの信号を合成すべき旨の指定がされているものとする。
【０１０４】
自動選局切換制御処理に際して、動作制御部２５４は、図１４に示されるように、まず、ステップＳ５１において、現時点での検出値ＣＮＲ1が、閾値ＣＮＲTH未満であるか否かを判定する。この判定の結果が否定的であった場合（ステップＳ５１：Ｎ）には、ステップＳ５１の処理が繰り返される。なお、「閾値ＣＮＲTH」は、実験、シミュレーション、経験等に基づいて、予め定められる。
【０１０５】
車両の移動により、ステップＳ５１の判定の結果が肯定的となると（ステップＳ５１：Ｙ）、処理はステップＳ５２へ進む。このステップＳ５２では、動作制御部２５４が、測位ユニット１７０から測位データＣＰＤを受けることにより、車両の現在位置を取得する。
【０１０６】
次に、ステップＳ５３において、動作制御部２５４が、再生対象の放送コンテンツに対応する放送ネットワーク（以下、「再生放送ネットワーク」と呼ぶ）に属し、かつ、現在位置で再生のために有効な受信が可能な物理チャンネル（受信可能チャンネル）を抽出する。かかる物理チャンネルの抽出に際して、動作制御部２５４は、まず、記憶部１８１内のデジタル中継局情報２４４を参照して、再生放送ネットワークの識別情報が、「放送ネットワーク識別情報」として登録されている個別デジタル中継局情報を抽出する。引き続き、動作制御部２５４は、上述した周波数リスト・変更情報の取得の場合と同様の手法を用いて、同一の再生放送ネットワークに属する受信可能チャンネルを抽出する。
【０１０７】
次いで、ステップＳ５４において、動作制御部２５４が、同一放送ネットワークの受信可能チャンネルを抽出できたか否かを判定する。この判定の結果が否定的であった場合（ステップＳ５４：Ｎ）には、処理はステップＳ５１へ戻る。
【０１０８】
一方、ステップＳ５４における判定の結果が肯定的であった場合（ステップＳ５４：Ｙ）には、処理はステップＳ５５へ進む。このステップＳ５５では、抽出された受信可能チャンネルが１つか否かを判定する。
【０１０９】
ステップＳ５５における判定の結果が肯定的であった場合（ステップＳ５５：Ｙ）には、処理はステップＳ５６へ進む。このステップＳ５６では、動作制御部２５４が、抽出された受信可能チャンネルを、再生用に新たに選局すべき物理チャンネルに決定する。そして、動作制御部２５４は、決定された物理チャンネルを選局するための選局指令ＣＳＬ1，ＣＳＬ2を、ＲＦ処理ユニット１２０1，１２０2へ送る。この後、処理はステップＳ５１へ戻る。
【０１１０】
一方、ステップＳ５５における判定の結果が否定的であった場合（ステップＳ５５：Ｎ）には、処理はステップＳ５７へ進む。このステップＳ５７では、動作制御部２５４が、まず、信号ＩＦＳ1，ＩＦＳ2の２つの信号を合成しない旨の合成制御指令ＳＮＣを、信号合成部２２２へ送る。
【０１１１】
次に、動作制御部２５４は、抽出された受信可能チャンネルのそれぞれを選局するための選局指令ＣＳＬ2をＲＦ処理ユニット１２０2へ順次送るとともに、抽出された受信可能チャンネルのそれぞれがＲＦ処理ユニット１２０2において選局された場合の検出値ＣＮＲ2を収集する。引き続き、動作制御部２５４は、収集された検出値ＣＮＲ2が最大であった物理チャンネルを、再生用に新たに選局すべき物理チャンネルに決定する。そして、動作制御部２５４は、決定された物理チャンネルを選局するための選局指令ＣＳＬ1，ＣＳＬ2を、ＲＦ処理ユニット１２０1，１２０2へ送るとともに、信号ＩＦＳ1，ＩＦＳ2の２つの信号を合成すべき旨の合成制御指令ＳＮＣを、信号合成部２２２へ送る。この後、処理はステップＳ５１へ戻る。
【０１１２】
こうして放送コンテンツの再生中にステップＳ５１〜Ｓ５７の処理を繰り返すことにより、再生物理チャンネルの放送波の受信状態が悪化した場合に、再生中コンテンツを良好に再生可能な状態を維持するための自動選局切換制御処理が、動作制御部２５４により実行される。ここで、動作制御部２５４が、デジタル中継局情報２４４を参照して、切換先チャンネルの候補を絞り込むので、再生中コンテンツを良好に再生可能な状態を維持するための選局切換を、迅速にかつ合理的に行うことができるようになっている。
【０１１３】
＜受信可能チャンネルの表示処理＞
次に、動作制御部２５４によって行われる受信可能チャンネルの表示処理について説明する。この受信可能チャンネルの表示制御処理は、放送受信装置１００において、放送コンテンツの再生中であるか否かにかかわらず行われる。
【０１１４】
受信可能チャンネルの表示処理に際して、動作制御部２５４は、図１５に示されるように、まず、ステップＳ６１において、操作入力ユニット１４０を介して受信可能チャンネル表示指令を受けたか否かを判定する。この判定の結果が否定的であった場合（ステップＳ６１：Ｎ）には、ステップＳ６１の処理が繰り返される。
【０１１５】
受信可能チャンネル表示指令を受け、ステップＳ６１の判定の結果が肯定的となると（ステップＳ６１：Ｙ）、処理はステップＳ６２へ進む。このステップＳ６２では、動作制御部２５４が、測位ユニット１７０から測位データＣＰＤを受けることにより、車両の現在位置を取得する。
【０１１６】
次に、ステップＳ６３において、動作制御部２５４が、放送ネットワークの種類にかかわらずに、現在位置における受信可能チャンネルを抽出する。かかる受信可能の抽出に際して、動作制御部２５４は、上述した周波数リスト・変更情報の取得の場合と同様の手法を用いて、受信可能チャンネルを抽出する。
【０１１７】
次いで、ステップＳ６４において、動作制御部２５４が、抽出された受信可能チャンネルの情報と、抽出された受信可能チャンネルが属する放送ネットワークの情報とを、表示ユニット１６０に表示させるための画像制御データＤＣＤを生成して、再生処理ユニット１３０における映像処理部１３４へ送る。この結果、受信可能チャンネルと、当該抽出受信可能チャンネルが属する放送ネットワークの情報とが、表示ユニット１６０に表示される。
【０１１８】
なお、上述したように、動作制御部２５４は、操作入力ユニット１４０を介して、物理チャンネルを指定した再生指令を受けた場合には、指定された物理チャンネルを選局するための選局指令ＣＳＬ1，ＣＳＬ2を、ＲＦ処理ユニット１２０1，１２０2へ送るとともに、信号ＩＦＳ1，ＩＦＳ2の２つの信号を合成すべき旨の合成制御指令ＳＮＣを、信号合成部２２２へ送る。この結果、指定された物理チャンネルを利用して放送された放送コンテンツが、音出力ユニット１５０及び表示ユニット１６０により再生出力される。
【０１１９】
以上説明したように、本実施形態では、周波数リスト取得部２５１が、デジタル放送波に含まれる周波数リスト・変更情報に基づいて、郵便番号及び送信パワー情報を含む最新周波数リスト情報を取得する。引き続き、周波数リスト変更抽出部２５２が、最新周波数リスト情報と、登録周波数リスト情報２４１とに基づいて、最新周波数リスト情報には含まれるが、登録周波数リスト情報２４１には含まれない新規デジタル中継局を抽出するとともに、最新周波数リスト情報に基づいて、登録周波数リスト情報２４１を更新する。
【０１２０】
次に、デジタル中継局情報更新部２５３が、新規デジタル中継局の郵便番号、放送ネットワーク情報及び送信パワー情報、並びに、アナログ中継局情報２４２及び郵便番号領域情報２４３を考慮して、新規デジタル中継局の位置を推定した後、推定された位置及び新規デジタル中継局の送信パワーを含む新たな個別デジタル中継局情報を、デジタル中継局情報２４４に追加する。このようにして更新されるデジタル中継局情報２４４に基づいて、動作制御部２５４が、デジタル中継局のそれぞれから送信されるデジタル放送波の受信可能範囲を特定する。
【０１２１】
したがって、本実施形態によれば、デジタル中継局のそれぞれの位置を精度良く推定することができ、この結果として、デジタル中継局のそれぞれから送信されるデジタル放送波の受信可能範囲を特定することができる。
【０１２２】
また、本実施形態では、デジタル中継局情報２４４及び車両の現在位置の検出結果に基づいて、切換先チャンネルの候補を絞り込むので、再生中コンテンツを良好に再生可能な状態を維持するための選局切換を、迅速にかつ合理的に行うことができる。
【０１２３】
また、本実施形態では、デジタル中継局情報２４４及び車両の現在位置の検出結果に基づいて、現在位置で有効な受信が可能な物理チャンネルを絞り込むので、現在位置で再生のために有効な受信が可能な放送の情報を、迅速にかつ精度よく表示することができる。
【０１２４】
［実施形態の変形］
本発明は、上記の実施形態に限定されるものではなく、様々な変形が可能である。
【０１２５】
例えば、上記の実施形態の放送受信装置は、アンテナとＲＦ処理ユニットとの組を２組備えることとしたが、アンテナとＲＦ処理ユニットとの組は、１組であってもよいし、３組以上であってもよい。
【０１２６】
また、上記の実施形態の放送受信装置は、アンテナとＲＦ処理ユニットとの組を２組備えることとしたが、１つのアンテナに対して、複数のＲＦ処理ユニットを配設するようにしてもよい。この場合には、信号合成部２２２は不要となる。
【０１２７】
また、上記の実施形態では、デジタル中継局の所在位置情報を３次元位置情報とするとともに、現在位置を３次元で検出することにした。これに対し、デジタル中継局の所在位置情報を２次元位置情報とするとともに、現在位置を２次元で検出するようにしてもよい。
【０１２８】
また、上記の実施形態では、周波数リスト変更抽出部２５２が、デジタル中継局の放送開始及び放送終了を判定することにしたが、デジタル中継局情報更新部２５３が、これらを判定するようにしてもよい。
【０１２９】
また、上記の実施形態では、動作制御部２５４が、デジタル中継局それぞれからの放送波の受信可能範囲を算出するようにした。これに対し、デジタル中継情報更新部２５３が、予め想定した放送受信装置のアンテナの標高を採用して、デジタル中継局それぞれからの放送波の受信可能範囲を算出し、デジタル中継局情報内に登録しておくようにしてもよい。
【０１３０】
また、上記の実施形態では、放送受信装置が測位ユニット１７０を備える構成とした。これに対し、同一の車両に搭載されたカーナビゲーション装置と接続し、当該カーナビゲーション装置においてマップマッチング等の手法により得られる精度の良い現在位置を、当該カーナビゲーション装置から取得する構成とし、放送受信装置としては、測位ユニット１７０を省略した構成とするようにしてもよい。
【０１３１】
また、上記の実施形態では、自動選局切換制御処理において、複数の切換先候補がある場合には、その時点においてＣＮＲ値が最も良好な切換先候補を、切換先として決定した。これに対し、同一の車両に搭載されたカーナビゲーション装置と接続する構成とする場合には、今後の車両の移動に関する情報（現時点での移動方向、移動経路情報等）を当該カーナビゲーション装置から取得し、今後において選局切換の回数を最小とすることができるように、自動選局切換制御を行うようにしてもよい。
【０１３２】
また、上記の実施形態では、放送チャンネルの放送波の受信品質の検出に際して、ＣＮＲ値を検出するようにしたが、放送チャンネルの放送波の電界強度、復調データのビットエラーレート等を検出するようにしてもよい。なお、放送チャンネルの放送波の電界強度を採用する場合には、当該電界強度を反映してＡＧＣ制御部で生成される自動利得制御信号の値を用いることができる。
【０１３３】
また、上記の実施形態では、音声処理部１３３が、デコード部１３２から送られた復号音声データＤＡＤに基づいて音声データＡＤＴを生成するようにしたが、復号音声データＤＡＤをそのまま音声データＡＤＴとして採用できる場合には、音声処理部１３３を省略することができる。
【０１３４】
また、上記の実施形態では、車両に搭載される放送受信装置に本発明を適用したが、車両以外に搭載される放送受信装置にも本発明を適用してもよい。
【０１３５】
また、上記の実施形態では、日本国で現在採用されている地上デジタルテレビジョン放送の規格に適合する放送受信装置に本発明を適用したが、他の規格に適合する放送受信装置に本発明を適用してもよい。
【０１３６】
なお、上記の実施形態における制御ユニット１８０の一部又は全部を中央処理装置（ＣＰＵ：Central Processing Unit）、読出専用メモリ（ＲＯＭ：Read Only Memory）、ランダムアクセスメモリ（ＲＡＭ：Random Access Memory）等を備えた演算手段としてのコンピュータとして構成し、予め用意されたプログラムを当該コンピュータで実行することにより、上記の実施形態における処理の一部又は全部を実行するようにしてもよい。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【符号の説明】
【０１３７】
１００  …  放送受信装置
１６０  …  表示ユニット（表示手段）
１７０  …  測位ユニット（検出手段）
１８１  …  記憶部（記憶手段）
２５１  …  周波数リスト取得部（取得手段）
２５２  …  周波数リスト変更抽出部（抽出手段、更新手段）
２５３  …  デジタル中継局情報更新部（推定手段）
２５４  …  動作制御部（特定手段、導出手段、サーチ手段、表示制御手段）
【図１】
2011004242.tif 000003
【図２】
2011004242.tif 000004
【図３】
2011004242.tif 000005
【図４】
2011004242.tif 000006
【図５】
2011004242.tif 000007
【図６】
2011004242.tif 000008
【図７】
2011004242.tif 000009
【図８】
2011004242.tif 000010
【図９】
2011004242.tif 000011
【図１０】
2011004242.tif 000012
【図１１】
2011004242.tif 000013
【図１２】
2011004242.tif 000014
【図１３】
2011004242.tif 000015
【図１４】
2011004242.tif 000016
【図１５】
2011004242.tif 000017